(57)【要約】【課題】意匠性のあるビーズ装飾玩具を適度な難易度で子供でも作成することができるビーズ連結玩具を提供する。【解決手段】一方端側には組紐係止部が形成され、他方端側にはビーズが挿通されるビーズ挿通紐と、２本のベース紐と、ビーズ挿通紐，２本のベース紐及びビーズを編込み係合させる係合紐と、を有する組紐体をベースとするビーズ装飾玩具を作成するための基台となる連結玩具本体５１と、連結玩具本体５１の一端側に設けられ、組紐係止部が係止される一端側係止部５２ｃと、連結玩具本体５１の他端側に設けられるとともに、２本のベース紐及びビーズ挿通紐が係止される他端側係止部５４ｃと、を有するビーズ連結玩具５０。【選択図】    図３
2016116748.tif 000002
【特許請求の範囲】
【請求項１】
一方端側には組紐係止部が形成され、他方端側には多数のビーズが挿通されるビーズ挿通紐と、２本のベース紐と、前記ビーズ挿通紐，前記２本のベース紐及び前記ビーズを編込み係合させる係合紐と、を有する組紐体をベースとするビーズ装飾玩具を作成するための基台となる連結玩具本体と、
前記連結玩具本体の一端側に設けられ、前記組紐係止部が係止される一端側係止部と、
前記連結玩具本体の他端側に設けられるとともに、前記２本のベース紐及び前記ビーズ挿通紐が係止される他端側係止部と、
を有することを特徴とするビーズ連結玩具。
【請求項２】
環状に形成された前記組紐係止部が係止される前記一端側係止部は鉤状に形成され、
前記他端側係止部は、前記２本のベース紐の他方端側がそれぞれ係止されるよう縦溝状に二箇所に形成されたベース紐用縦溝と、前記ビーズ挿通紐の他方端側が係止されるよう前記ベース紐用縦溝の間に縦溝状に形成されたビーズ挿通紐用縦溝と、により構成されることを特徴とする請求項１に記載のビーズ連結玩具。
【請求項３】
前記ベース紐用縦溝と前記ビーズ挿通紐用縦溝との間の仕切り壁の一部は、前記各縦溝における縦方向を回動軸として回動自在に形成されることを特徴とする請求項２に記載のビーズ連結玩具。
【請求項４】
前記連結玩具本体は長尺状に形成されるとともに、少なくとも上面を有し、
前記連結玩具本体の前記上面には、該上面から突出される当接突起部が設けられ、
前記他端側係止部が設けられる前記連結玩具本体の他端部上面は、前記連結玩具本体の前記上面よりも上方に形成されることを特徴とする請求項１乃至請求項３に記載のビーズ連結玩具。
【請求項５】
前記当接突起部と前記連結玩具本体の他端部との間の前記連結玩具本体の前記上面には、前記ベース紐，前記ビーズ挿通紐及び前記係合紐を留める留め具の柱状突起が遊嵌される留め具用孔部が設けられることを特徴とする請求項４に記載のビーズ連結玩具。
【請求項６】
前記連結玩具本体は、幅方向に形成される分割部が２箇所以上に形成されるとともに、一の前記分割部における係合部は他の前記分割部における係合部と係合可能に形成されることを特徴とする請求項１乃至請求項５の何れか記載のビーズ連結玩具。
【請求項７】
ビーズが挿通されるビーズ挿通紐と、２本のベース紐と、前記ビーズ挿通紐，前記２本のベース紐及び前記ビーズを編込み係合させる係合紐と、を有するビーズ装飾玩具のベースとなる組紐体を準備して、
前記ビーズ挿通紐に前記ビーズを挿通させ、
前記２本のベース紐の間に前記ビーズを挿通させた前記ビーズ挿通紐を位置させて、
前記係合紐を、一方の前記ベース紐周りに表側から裏側に折り返した後前記ビーズ挿通紐の表側を通し、その後他方の前記ベース紐周りに裏側から表側に折り返した後前記ビーズ挿通紐の裏側を通すようにして、前記２本のベース紐と、前記ビーズ挿通紐と、前記ビーズを編込み係合させることを特徴とするビーズ連結方法。
【請求項８】
前記組紐体の準備は、
１本のゴム紐の端部間の中央付近を結んで環状部を形成し、端部を有する２本の紐状部を前記２本のベース紐とし、
１本のテグスにおける何れかの端部側に寄った位置を結んで環状部を形成し、端部を有する２本の紐状部のうち、短い紐状部を前記ビーズ挿通紐として長い紐状部を前記係合紐とし、
前記テグスの環状部を前記ゴム紐の環状部に挿通させて前記テグスの環状部を前記２本のベース紐間に位置させ、
前記ビーズ挿通紐及び前記係合紐を前記テグスの環状部に挿通させて前記組紐体とすることを特徴とする請求項６に記載のビーズ連結方法。
【発明の詳細な説明】
【技術分野】
【０００１】
本発明は、多数のビーズを連結させたビーズ装飾玩具を作成して遊ぶことのできるビーズ連結玩具と、そのビーズの連結方法に関する。
【背景技術】
【０００２】
従来から、多数のビーズを糸に挿通させてブレスレットやアクセサリ等のビーズ装飾玩具を作成することができる玩具が提案されている。例えば、特許文献１で開示されるビーズ通し装置は、通し軸上に設けられた四つの被挟持部と、四つの被挟持部をそれぞれ挟持する挟持手段と、最下端の被挟持部の下方に設けられて糸を引っ掛けることができる引っ掛け部とを備える。挟持手段は、四つの被挟持部に対応して、それぞれの被挟持部を挟持するよう挟持部材が一対に設けられる。この一対の挟持部材は、駆動手段により開閉される。
【０００３】
このように形成されるビーズ通し装置の動作は、多数のビーズが収納されるビーズ収納部からビーズが通し軸に通されるとともに、挟持部材の開閉動作に伴って、通り軸に案内されながらビーズが順次上側の被挟持部から下側の被挟持部に移動される。そして、最下端の被挟持部のビーズは、最下端の被挟持部における挟持部材が開かれると、引っ掛け部に引っ掛けられた糸に挿通される。このようにして、多数のビーズが連結されたビーズ装飾玩具を作成することができる。
【０００４】
一方、大人向けのアクセサリとして、近年、ラップブレスレットといわれるブレスレットが人気を博している。このラップブレスレットは、２本のベースとなる紐の間にビーズが配置され、２本のベースとなる紐と多数のビーズが係合されてなる。２本のベースとなる紐と多数のビーズとの係合は、両者を係合させる紐をこの２本のベースとなる紐に巻き付けながら、ベースとなる紐と直交するよう横向きに配置されたビーズの孔に挿通させて係合されている。
【先行技術文献】
【特許文献】
【０００５】
【特許文献１】特開２００３−２１３５５２号公報
【発明の概要】
【発明が解決しようとする課題】
【０００６】
通常、ビーズを連結させてアクセサリ等のビーズ装飾玩具を作成する玩具においては、特許文献１に示すように、ビーズを単に直列に配置してビーズの孔部に糸を通すのみで、変化に乏しいものである。従って、作成されたビーズ装飾玩具の意匠性は、多様な色のビーズの配置や、ビーズに挿通させた糸を留める留め具に装飾物を取り付ける等することで変化させて楽しむこととなる。
【０００７】
一方、子供達にとっても、大人向けのアクセサリを模したものを作成して身に着けたいという要望があるが、大人向けのラップブレスレットは、ビーズを２本の紐に係合させるための編込みが複雑で、この編み方をそのまま子供向けのビーズ装飾玩具に適用させることは難しい。
【０００８】
本発明の目的は、大人向けのラップブレスレットを模したブレスレットを適度な難易度で子供でも作成することができるビーズ連結方法及びこのビーズ連結方法を容易に実施することのできるビーズ連結玩具を提供する。
【課題を解決するための手段】
【０００９】
本発明のビーズ連結玩具は、一方端側には組紐係止部が形成され、他方端側には多数のビーズが挿通されるビーズ挿通紐と、２本のベース紐と、前記ビーズ挿通紐，前記２本のベース紐及び前記ビーズを編込み係合させる係合紐と、を有する組紐体をベースとするビーズ装飾玩具を作成するための基台となる連結玩具本体と、前記連結玩具本体の一端側に設けられ、前記組紐係止部が係止される一端側係止部と、前記連結玩具本体の他端側に設けられるとともに、前記２本のベース紐及び前記ビーズ挿通紐が係止される他端側係止部と、を有する。
【００１０】
また、環状に形成された前記組紐係止部が係止される前記一端側係止部は鉤状に形成され、前記他端側係止部は、前記２本のベース紐の他方端側がそれぞれ係止されるよう縦溝状に二箇所に形成されたベース紐用縦溝と、前記ビーズ挿通紐の他方端側が係止されるよう前記ベース紐用縦溝の間に縦溝状に形成されたビーズ挿通紐用縦溝と、により構成される。
【００１１】
また、前記ベース紐用縦溝と前記ビーズ挿通紐用縦溝との間の仕切り壁の一部は、前記各縦溝における縦方向を回動軸として回動自在に形成される。
【００１２】
また、前記連結玩具本体は長尺状に形成されるとともに、少なくとも上面を有し、前記連結玩具本体の前記上面には、該上面から突出される当接突起部が設けられ、前記他端側係止部が設けられる前記連結玩具本体の他端部上面は、前記連結玩具本体の前記上面よりも上方に形成される。
【００１３】
また、前記当接突起部と前記連結玩具本体の他端部との間の前記連結玩具本体の上面には、前記ベース紐，前記ビーズ挿通紐及び前記係合紐を留める留め具の柱状突起が遊嵌される留め具用孔部が設けられる。
【００１４】
前記連結玩具本体は、幅方向に形成される分割部が２箇所以上に形成されるとともに、一の前記分割部における係合部は他の前記分割部における係合部と係合可能に形成される。
【００１５】
また、ビーズ連結方法は、ビーズが挿通されるビーズ挿通紐と、２本のベース紐と、前記ビーズ挿通紐，前記２本のベース紐及び前記ビーズを編込み係合させる係合紐と、を有するビーズ装飾玩具のベースとなる組紐体を準備して、前記ビーズ挿通紐に前記ビーズを挿通させ、前記２本のベース紐の間に前記ビーズを挿通させた前記ビーズ挿通紐を位置させて、前記係合紐を、一方の前記ベース紐周りに表側から裏側に折り返した後前記ビーズ挿通紐の表側を通し、その後他方の前記ベース紐周りに裏側から表側に折り返した後前記ビーズ挿通紐の裏側を通すようにして、前記２本のベース紐と、前記ビーズ挿通紐と、前記ビーズを編込み係合させる。
【００１６】
前記組紐体の準備は、１本のゴム紐の端部間の中央付近を結んで環状部を形成し、端部を有する２本の紐状部を前記２本のベース紐とし、１本のテグスにおける何れかの端部側に寄った位置を結んで環状部を形成し、端部を有する２本の紐状部のうち、短い紐状部を前記ビーズ挿通紐として長い紐状部を前記係合紐とし、前記テグスの環状部を前記ゴム紐の環状部に挿通させて前記テグスの環状部を前記２本のベース紐間に位置させ、前記ビーズ挿通紐及び前記係合紐を前記テグスの環状部に挿通させて前記組紐体とする。
【発明の効果】
【００１７】
本発明のビーズ連結玩具によれば、２本のベース紐とビーズ挿通紐と係合紐を有する組紐体をベースとするビーズ装飾玩具の作成の際、組紐体の一方端の組紐係止部を連結玩具本体の一端側係止部に係止させ、組紐体の他方端は連結玩具本体の他端側係止部に係止させることができる。従って、ビーズ挿通紐に多数のビーズを挿通させた後、係合紐により編込み係合させる際に、組紐体が適度なテンションで張られる状態となるので、この編込み係合の作業がし易いものとなる。
【００１８】
従って、２本のベース紐に対してビーズ挿通紐に挿通させた多数のビーズを係合させる形態とされる大人向けのラップブレスレットを模した形状等のビーズ装飾玩具を、子供自身が適度な難易度で作成することができる。従って、ビーズ装飾玩具の作成を楽しく行うことができる。
【００１９】
また、連結玩具本体の一端側係止部は鉤状に形成され、これに係止される組紐係止部は環状に形成されている。そして、２本のベース紐及びビーズ挿通紐がそれぞれ係止される他端側係止部は、縦溝状に形成した。これにより、組紐係止部は一端側係止部に引っ掛けるようにするだけで係止することができ、２本のベース紐及びビーズ挿通紐はそれぞれ縦溝状の他端側係止部に嵌め込むようにして係止することができる。従って、ビーズ連結玩具の連結玩具本体に対する組紐体の係止を容易に行うことができる。
【００２０】
また、ベース紐用縦溝とビーズ挿通紐用縦溝の間の仕切り壁の一部は、縦方向を回動軸として回動自在に形成される。これにより、例えば２本のベース紐及びビーズ挿通紐をそれぞれ径の異なるゴム紐とテグスにより形成し、ベース紐をベース紐用縦溝に嵌め込ませ、テグスをビーズ挿通紐用縦溝に嵌め込ませた場合でも、各紐の径の違いに関わらず、確実に各紐を係止させることができる。
【００２１】
また、連結玩具本体は少なくとも上面を有し、連結玩具本体の上面に当接突起部が設けられ、他端側係止部が設けられる部位の上面は連結玩具本体の上面よりも上方に形成されている。従って、連結玩具本体に係止された組紐体は当接突起部や他端側係止部が設けられる部位の上面と当接されるので、各紐を連結玩具本体の上面からやや上方に浮いた状態で連結玩具本体に係止されることとなる。従って、係合紐による編込み係合の作業が一層し易くなり、編込みの作業をより一層手軽に楽しむことができる。
【００２２】
また、連結玩具本体上面には、ベース紐やビーズ挿通紐及び係合紐を留める留め具の柱状突起が遊嵌される留め具用孔部が設けられる。これにより、係合紐による編込み係合の終了後、留め具により各紐を留める際、留め具用孔部に留め具の柱状突起を挿入して容易に留め具が移動してしまうことを防止することができる。従って、各紐を留める作業がし易くなるので、さらに一層、ビーズ装飾玩具の作成を楽しむことができる。
【００２３】
また、連結玩具本体は、幅方向に形成される分割部が２箇所以上に形成されるので、少なくとも３つ以上に分割することができる。従って、ビーズ連結玩具は、収納時にコンパクトにまとめて収納することができる。さらに、分割された一の連結玩具本体は、他の分割された連結玩具本体と係合可能に形成されるので、連結玩具本体の長さを変化させることができる。従って、種々の長さのビーズ装飾玩具を作成することができるので、ネックレスやブレスレット等、変化に富んだビーズ装飾玩具を作成することができる。
【００２４】
また、ビーズ連結方法は、２本のベース紐及びビーズが挿通されたビーズ挿通紐に対して係合紐を表裏交互に編込み係合させるものである。従って、このビーズ連結方法によれば、子供が適度な難易度で編込みを楽しみつつラップブレスレットを模したビーズ装飾玩具を作成することができる。さらに、特殊形状のビーズを用いることなく、一般的に市販されているビーズを用いることができるので、ビーズの配色に工夫をする等して楽しく手軽にビーズ装飾玩具の作成を行うことができる。
【００２５】
また、組紐体は、１本のゴムと１本のテグスを組み合わせて形成して準備される。従って、一般的に市販されているゴム紐やテグスを用いて組紐体を形成することができるので、手軽にビーズ装飾玩具を作成することができる。
【図面の簡単な説明】
【００２６】
【図１】本発明の実施形態に係る装飾玩具の全体外観図である。
【図２】本発明の実施形態に係る組紐体の全体外観図である。
【図３】本発明の実施形態に係るビーズ連結玩具の斜視図である。
【図４】本発明の実施形態に係るビーズ連結玩具を分割した場合の斜視図である。
【図５】本発明の実施形態に係るビーズ連結玩具の第３本体部の分解斜視図である。
【図６】本発明の実施形態に係る装飾玩具の留め具を示す斜視図である。
【図７】本発明の実施形態に係る装飾玩具の留め具の内面を示す図であり、（ａ）はカバー部材の内面を示し、（ｂ）は留め具本体の内面を示す。
【図８】本発明の実施形態に係るビーズ連結玩具に組紐体を装着した平面図である。
【図９】本発明の実施形態に係るビーズ装飾玩具の編込みの様子を示し、ビーズ連結玩具における一端側位置を示す図である。
【図１０】本発明の実施形態に係るビーズ装飾玩具の編込みの様子を示し、ビーズ連結玩具における中間位置及び他端側位置を示す図である。
【図１１】本発明の実施形態に係るビーズ連結玩具に留め具本体を装着した状態を示す平面である。
【図１２】本発明の実施形態に係るビーズ連結玩具の側面を示す図である。
【発明を実施するための形態】
【００２７】
以下、図面に基づいて、本発明の実施形態を説明する。図１は、本発明に係るビーズ連結玩具で作成するビーズ装飾玩具であるブレスレット１０の外観図である。図２はブレスレット１０のベースとなる組紐体２０の全体図である。ブレスレット１０は、組紐体２０に多数のビーズ３０を係合させて形成されている。組紐体２０は、２本のベース紐２１と、ビーズ挿通紐２２と、係合紐２３とを備える。ビーズ挿通紐２２には、多数のビーズ３０が挿通される。また、２本のベース紐２１，ビーズ挿通紐２２及び多数のビーズ３０は、係合紐２３により、互いに編込み係合される。そして、組紐体２０の一方端側（図１，図２における上端側）には、環状の組紐係止部２４が形成されている。
【００２８】
具体的には、組紐体２０の２本のベース紐２１及び組紐係止部２４は１本のゴム紐からなる。このゴム紐は、断面が略円形とされる一般に市販されているものである。さらに、組紐体２０のビーズ挿通紐２２及び係合紐２３は、１本のテグスからなり、これも一般に市販されているものである。なお、組紐体２０の作成方法は後述する。
【００２９】
ブレスレット１０の他方端側（図１における下端側）には、４本の紐の端部を留める留め具４０が設けられている。留め具４０には、六角柱状の柱状突起４３が突出して形成されている。この柱状突起４３には、ハート形に形成された装飾部材４６を取り付けることができる。装飾部材４６の柱状突起４３への取り付けは、装飾部材４６に形成された孔部４６ａに柱状突起４３を挿入することで、圧入嵌合させたり、接着剤を塗布して接着させたりして、装飾部材４６を留め具４０に固定する。
【００３０】
ブレスレット１０は、全長約３０ｃｍ程度で形成される。ブレスレット１０を手首に装着する際は、環状の組紐係止部２４を、留め具４０に固定される装飾部材４６に係止させて、ブレスレット１０を環状に形成する。そして、この環状に形成されたブレスレット１０を一回ひねって二重環とすれば、直径を約５ｃｍ程度で形成することができ、子供の手首に丁度よく装着することができる。
【００３１】
次に、ブレスレット１０を作成するための作業台となるビーズ連結玩具５０について説明する。図３に示すように、ビーズ連結玩具５０は、長尺状に形成され、ブレスレット１０を作成するための基台となる連結玩具本体５１を有する。連結玩具本体５１は、図３及び図４に示すように、幅方向に形成される分割部５６，５７において、第１本体部５２，第２本体部５３，第３本体部５４の３つに分割することができる。３つに分割された連結玩具本体５１のうち、一端側（図３，図４における上方側）の第１本体部５２の全長が一番長く、他端側（図３，図４における下方側）の第２本体部５３，第３本体部５４の順にその全長が短く形成されている。
【００３２】
第１本体部５２，第２本体部５３及び第３本体部５４は、分割部５６，５７において、それぞれスライド係合により接続される。すなわち、第１本体部５２の他端側の側面には、左右側面視Ｔ字状の溝とされるＴ溝部５２ａが幅方向に延設される。そして、第２本体部５３の一端側の側面には、Ｔ溝部５２ａとスライド係合するように、左右側面視Ｔ字状のスライド係合突起５３ｂが形成されている。第２本体部５３のスライド係合突起５３ｂは、Ｔ溝部５２ａの溝にスライドして係合されると、Ｔ溝部５２ａの終端部に形成された規制壁５２ａ１と当接するまでスライドされる。
【００３３】
同様に、第２本体部５３の他端側の側面にはＴ溝部５３ａが形成され、第３本体部５４の他端側にはスライド係合突起５４ａが形成されている。そして、Ｔ溝部５３ａの終端部には規制壁５３ａ１が形成されている。このように形成される第１本体部５２，第２本体部５３及び第３本体部５４をそれぞれスライド係合させて接続すると、図３に示すように、第１本体部５２，第２本体部５３及び第３本体部５４の各上面５２ｄ，５３ｄ，５４ｄは、後述の当接突起部５４ｆを介した同一面とされる上面が形成され、長手方向の側面は連続した平面として形成される。
【００３４】
連結玩具本体５１の第１本体部５２の一端側の上面には、一端側係止部５２ｃが設けられている。一端側係止部５２ｃは、第１本体部５２の上面から立設する垂直部５２ｃ１と、この垂直部５２ｃ１の端部から一端側方向に水平に延設される水平部５２ｃ２からなる２個の鉤状の突起が第１本体部５２の幅方向に並列して並べられて形成されている。
【００３５】
連結玩具本体５１の第３本体部５４の他端側には、他端側係止部５４ｃが設けられている。他端側係止部５４ｃは、３本の縦溝から形成されている。左右の縦溝は、ベース紐用縦溝５４ｃ１とされ、ベース紐用縦溝５４ｃ１間の縦溝は、ビーズ挿通紐用縦溝５４ｃ２とされている。ビーズ挿通紐用縦溝５４ｃ２は、ベース紐用縦溝５４ｃ１の幅よりも狭く形成されている。
【００３６】
第３本体部５４の他端付近の上面は他端部上面５４ｅとされる。他端部上面５４ｅは、第３本体部５４の上面５４ｄ及び第１本体部５２，第２本体部５３の各上面５２ｄ，５３ｄよりも上方に位置している。また、第３本体部５４の一端側の上面５４ｄからは、第３本体部５４の幅方向に延設して壁状に突出される当接突起部５４ｆが形成されている。他端部上面５４ｅと当接突起部５４ｆの上面は、第３本体部５４の上面５４ｄからの高さを同じ高さとして形成されている。そして、当接突起部５４ｆと、他端側係止部５４ｃとの間の第３本体部５４の上面には、前述の留め具４０の柱状突起４３が挿入される留め具用孔部５４ｇが設けられている。
【００３７】
ここで、第３本体部５４について、図５により、さらに詳細に説明する。第３本体部５４は、上面５４ｄ等が形成される第３本体部本体１５４と、固定プレート１５５と、可動仕切り壁１５６とで形成されている。固定プレート１５５は、側面視切欠き状に形成された第３本体部本体１５４の他端部１５４ｈの下面に固定される。固定プレート１５５の他端部１５４ｈ下面への固定は、固定プレート１５５に設けられた２箇所の孔部１５５ａを介して、他端部１５４ｈの下面に形成される図示しないねじ孔にねじ５５がそれぞれ螺合することで固定される。
【００３８】
他端部１５４ｈの下面と固定プレート１５５との間には、２個の可動仕切り壁１５６が他端部１５４ｈの下面と固定プレート１５５とにより挟持され設けられている。可動仕切り壁１５６は縦板状に形成され、その基部１５６ａの上下面にはそれぞれ円柱状に突出されるボス１５６ｂが形成されている。そして、下側のボス１５６ｂは、固定プレート１５５に設けられた２個の下ボス支持孔１５５ｂに回動自在に挿入される。一方、上側のボス１５６ｂは、第３本体部本体１５４における上面５４ｄから他端部上面５４ｅに立ち上がる壁部近傍幅方向略中央に形成される２個の上ボス支持孔１５４ｋに回動自在に挿入される。
【００３９】
各可動仕切り壁１５６の基部１５６ａから端部側には、可動壁板１５６ｃが延設されている。この可動壁板１５６ｃは、他端側係止部５４ｃ（図３，図４参照）を構成する第３本体部本体１５４の上壁板１５４ｍ及び固定プレート１５５の下壁板１５５ｃとともに、ベース紐用縦溝５４ｃ１及びビーズ挿通紐用縦溝５４ｃ２間の仕切り壁を形成している。可動壁板１５６ｃ，上壁板１５４ｍ，下壁板１５５ｃの幅は、同じ幅で形成されている。
【００４０】
各可動仕切り壁１５６は、それぞれ上ボス支持孔１５４ｋ及び下ボス支持孔１５５ｂにより回動自在に支持されるので、各ボス１５６ｂを縦方向の回動軸として回動自在とされる。従って、ベース紐用縦溝５４ｃ１とビーズ挿通紐用縦溝５４ｃ２との間の仕切り壁である可動壁板１５６ｃ，上壁板１５４ｍ，下壁板１５５ｃの一部である可動壁板１５６ｃは、各縦溝５４ｃ１，５４ｃ２における縦方向を回動軸として回動自在に形成されることとなる。
【００４１】
さらに、可動仕切り壁１５６の可動壁板１５６ｃの側面には、ベース紐用縦溝５４ｃ１及びビーズ挿通紐用縦溝５４ｃ２における溝の縦方向と直交するように水平方向に向けて突設される突起部１５６ｄが設けられている。同様に、ベース紐用縦溝５４ｃ１における第３本体部本体１５４側の壁部には、突起部１５４ｄが設けられている。各突起部１５６ｄ，１５４ｄは、それぞれ対向して設けられている。
【００４２】
このように形成されるベース紐用縦溝５４ｃ１及びビーズ挿通紐用縦溝５４ｃ２には、ブレスレット１０（図１参照）の作成過程でベース紐２１、ビーズ挿通紐２２及び係合紐２３が係止される。具体的には、各ベース紐用縦溝５４ｃ１には各ベース紐２１がそれぞれ１本ずつ係止される。ビーズ挿通紐用縦溝５４ｃ２には、係合紐２３による編込み係合を行うときにはビーズ挿通紐２２が係止され、この編込み係合が終了したときにはさらに係合紐２３が係合される。
【００４３】
このようにして各紐が係合されると、回動自在に支持される可動壁板１５６ｃにより、自動的に各縦溝５４ｃ１，５４ｃ２の幅の一部が調整されるので、各紐を確実に係止することができる。さらに、各突起部１５６ｄ，１５４ｄを係止された各紐に食い込ませることができるので、係止された各紐は、縦方向に抜け難く、水平方向には容易に抜くことができる。
【００４４】
次に、図６及び図７に基づいて、留め具４０について説明する。留め具４０は、図６における上側の部品であるカバー部材４１と、下側の部品である留め具本体４２の２つの部品から構成されている。下側の留め具本体４２には、下面から柱状突起４３が突出している。柱状突起４３は、横断面における外形を正六角形として形成されている。
【００４５】
カバー部材４１の幅方向（図６における左右方向）両端部には、上面から下方に延設される留め具係止部４１ａが形成されている。各留め具係止部４１ａには、それぞれ係止孔部４１ａ１が形成されている。一方、留め具本体４２の幅方向両端部には、係止突起４２ａが形成されている。この係止突起４２ａが係止孔部４１ａ１に係止されることにより、カバー部材４１は留め具本体４２に係止され、固定される。
【００４６】
留め具本体４２には、図７（ｂ）に示すように、２本のベース紐２１がそれぞれ挿通される２つの大溝４４と、ビーズ挿通紐２２及び係合紐２３が挿通される小溝４５が設けられている。なお、図７（ａ），（ｂ）においては、上側が多数のビーズ３０が位置される側である。
【００４７】
大溝４４は、２本のベース紐２１の間隔が図６（ｂ）の上側よりも下側（換言すれば、ベース紐２１の端部側）で狭くなるように、大溝４４の間隔が下側で狭くなるよう屈曲して形成されている。各大溝４４には、それぞれ２つのピン４４ａが立設している。各ピン４４ａは、円錐形状とされ、各ピン４４ａの頂部はベース紐２１に食い込ませることができる。
【００４８】
各大溝４４における２つのピン４４ａの間には、各大溝４４よりも幅広矩形の幅広凹部４４ｂが形成されている。幅広凹部４４ｂは、大溝４４の屈曲に合わせて、留め具本体４２に対して斜めになるよう設けられている。一方、小溝４５は、図６（ｂ）において上下に直線状に形成されている。そして、小溝４５の上方（換言すればビーズ３０側）には、前述の幅広凹部４４ｂと同形状とされる幅広凹部４５ａが形成されている。
【００４９】
図７（ａ）において、カバー部材４１には、２つの大溝４４の各幅広凹部４４ｂに対応して、各幅広凹部４４ｂに挿入される幅広凸部４１ｂがカバー部材４１の下面（図６（ａ）で示される面）から突設される。各幅広凸部４１ｂは、中央部が切り欠かかれ、この切り欠かれた中央部には押さえピン４１ｂ１が立設する。各押さえピン４１ｂ１は、前述のピン４４ａと同様に円錐形状とされ、ベース紐２１に食い込まれるよう形成されている。
【００５０】
一方、小溝４５に設けられる幅広凹部４５ａに対応して、幅広凹部４５ａに挿入される幅広凸部４１ｃがカバー部材４１の下面（図７（ａ）で示される面）から突設される。幅広凸部４１ｃは、カバー部材４１の中心部に形成される補強リブ４１ｄを跨ぐようにして立設される。そして、幅広凸部４１ｃは、その中心部が切りかかれている。
【００５１】
次に、以上説明した部材を用いて、ブレスレット１０を作成するビーズ連結方法について説明する。先ず、図２に示す組紐体２０を作成して準備する。組紐体２０の作成は、１本のゴム紐の略中央部分を結んで組紐係止部２４とされる環状部を形成する。そして、紐状部とされるゴム紐の端部側は、２本のベース紐２１とされる。
【００５２】
そして同様に、１本のテグスを結んで環状部２５を形成する。このとき、テグスを結ぶ位置は、テグスの一方端側が他方端側よりも短くなる位置で結ぶようにする。そして、紐状部とされるテグスの端部側は、短い紐状部をビーズ挿通紐２２とし、長い紐状部を係合紐２３とする。
【００５３】
次に、テグスの環状部２５をゴム紐の環状部である組紐係止部２４に挿通させて、環状部２５を２本のベース紐２１の間に位置させる。そして、ビーズ挿通紐２２及び係合紐２３を環状部２５に挿通させる。このようにして、組紐体２０を作成して準備する。このとき、ビーズ挿通紐２２の長さは、ベース紐２１と略同一長さとされる。
【００５４】
次に、図８に示す状態となるように、組紐体２０をビーズ連結玩具５０にセットする。具体的には、先ず組紐係止部２４を一端側係止部５２ｃに引っ掛けるようにして係止させる。そして、２本のベース紐２１を２箇所のベース紐用縦溝５４ｃ１にそれぞれ係止させる。このとき、ベース紐２１は撓まないよう少しテンションを掛けてベース紐用縦溝５４ｃ１に係止させる。
【００５５】
組紐体２０をビーズ連結玩具５０にセットしたら、ビーズ挿通紐２２に好みの多数のビーズ３０を順次挿通させる。ビーズ３０は、当接突起部５４ｆまでビーズ挿通紐２２に挿通させる。このとき、一番初めに挿通させる先頭のビーズ３１と最後に挿通させるビーズ３２（図１参照）は、他の多数のビーズ３３よりも、紐を通す孔の直径が大きいビーズとすると好適である。後述の係合紐２３による編込み係合において、先頭のビーズ３１及び最後のビーズ３２の孔には、ビーズ挿通紐２２に加えて係合紐２３を挿通させるからである。
【００５６】
ビーズ挿通紐２２に多数のビーズ３０を挿通し終えたら、２本のベース紐２１の間にビーズを挿通させたビーズ挿通紐２２が位置するように、ビーズ挿通紐２２の端部側をビーズ挿通紐用縦溝５４ｃ２に係止させる（図１０参照）。このとき、ビーズ挿通紐２２が撓まないように、ビーズ挿通紐２２に少しテンションを掛けてビーズ挿通紐２２をビーズ挿通紐用縦溝５４ｃ２に係止させる。すると、複数のビーズ３０が挿通されたビーズ挿通紐２２は、当接突起部５４ｆ及び他端部上面５４ｅと当接される。このため、ビーズ挿通紐２２に挿通されたビーズは、連結玩具本体５１の上面から若干浮いた状態とされる。これにより、連結玩具本体５１の上面から若干浮いた状態でテンションを掛けて係止されるベース紐２１と相俟って、係合紐２３による２本のベース紐２１及びビーズ３０の編込み係合がし易くなる。
【００５７】
次に係合紐２３による編込み係合をおこなう。図９に示す状態となるように、先ず、係合紐２３を先頭のビーズ３１の孔に組紐体２０の一方端側（図９における上側）から一回挿通させる。そして、ビーズ３１の他方端側の孔から出てきた係合紐２３を折り返して、もう一度、ビーズ３１の一方端側の孔から挿通させる。
【００５８】
このようにして、先頭のビーズ３１に係合紐２３を巻回させることにより、ビーズ３１は、ビーズ挿通紐２２上を移動せず、所定の位置に固定される。そして、係合紐２３の端部付近に、編込み係合用の編み棒６０を係合させる。編み棒６０は、編込み係合がし易くなるよう先端を曲面に形成した細い棒状体とされる。
【００５９】
係合紐２３による編込み係合は、図１０に示すように、係合紐２３を、一方のベース紐２１ａ周りに表側から裏側に折り返した後、ビーズ挿通紐２２の表側を通し、その後他方のベース紐２１ｂ周りに裏側から表側に折り返した後ビーズ挿通紐２２の裏側を通して編込み係合される。すなわち、一方のベース紐２１ａ周りに表側から裏側に折り返された係合紐２３は、図１０に示す位置Ｓ１では、ビーズ挿通紐２２の表側に通される。そして、他方のベース紐２１ｂ周りに裏側から表側に折り返された係合紐２３は、位置Ｓ２で示すように、ビーズ挿通紐２２の裏側に通される。
【００６０】
この編込み係合の際、連結玩具本体５１は、長尺状に形成され上面５２ｄ，５３ｄが形成されているので、複数のビーズ３０が挿通されたビーズ挿通紐２２の下方移動が規制され、必要以上にビーズ挿通紐２２が落ち込んでしまうことが防止される。
【００６１】
このようにして係合紐２３により、２本のベース紐２１と多数のビーズ３０とを編込み係合する。そして、係合紐２３が最後端のビーズ３２の手前まで到達したら、図１０に示すように、最後端のビーズ３２における組紐体２０の一方端側の孔から係合紐２３を挿通させる。ビーズ３２の孔を挿通された係合紐２３の端部側は、ビーズ挿通紐用縦溝５４ｃ２に係合させる。
【００６２】
次に、留め具４０により２本のベース紐２１及びビーズ挿通紐２２，係合紐２３を留める工程を説明する。図１１に示すように、係合紐２３の端部側をビーズ挿通紐用縦溝５４ｃ２に係止させた状態で、留め具４０の留め具本体４２の柱状突起４３を連結玩具本体５１（第３本体部５４）の留め具用孔部５４ｇに挿入して遊嵌させる。留め具４０を連結玩具本体５１（第３本体部５４）の上面５４ｄに載置する。
【００６３】
このとき、留め具本体４２は、当接突起部５４ｆと近接又は接触される。そして、２本のベース紐２１は、それぞれ左側のベース紐２１については左側の大溝４４に収め、右側のベース紐２１については右側の大溝４４に収める。そして、ビーズ挿通紐２２と係合紐２３は、ともに小溝４５に収める。この状態で、上方から留め具４０のカバー部材４１を留め具本体４２に嵌めて取り付ける。
【００６４】
すると、図１２に示した状態となる。このようにして、留め具４０により、２本のベース紐２１及びビーズ挿通紐２２，係合紐２３は留められる。そして、図１２のＰ部における２本のベース紐２１及びビーズ挿通紐２２，係合紐２３を切断して、ブレスレット１０をビーズ連結玩具５０から取り外す。その後、柱状突起４３と係合される孔部４６ａを有する装飾部材４６を圧入嵌合や接着等により留め具４０に固定する。
【００６５】
以上説明したとおり、本発明に係るビーズ連結玩具５０及びビーズ連結方法によれば、一般的に市販されているゴム紐やテグス及びビーズを用いて、ラップブレスレットを模したブレスレット１０を子供が適度な難易度で楽しみながら作成することができる。また、自ら作成したブレスレット１０を身に着けて遊ぶこともできる。
【００６６】
作成したブレスレット１０は、ベース紐２１がゴム紐とされるので、ある程度伸ばすことができる。そして、テグスも弾力性を有するので、ベース紐２１の伸びに合わせてビーズ挿通紐２２も伸び、さらにベース紐２１が伸びた場合には、多数のビーズ３０と編込み係合された係合紐２３により、多数のビーズ３０の間隔は等間隔のまま、その間隔が伸びることとなる。従って、ブレスレット１０を伸ばした場合でも、多数のビーズ３０の配列が整ったままとされるので、見栄えの良いブレスレット１０を維持することができる。
【００６７】
本発明は、以上説明した実施形態に限られることはなく、種々の形態で実施することができる。例えば、本実施形態においては、第１本体部５２，第２本体部５３，第３本体部５４をスライド係合により連結してブレスレット１０を作成したが、第２本体部５３を省略して第１本体部５２と第３本体部５４をスライド係合させてブレスレット１０を作成することができる。これにより、サイズの異なるブレスレット１０を作成することができる。
【００６８】
また、分割部５６，５７における係合はスライド係合として形成したが、ねじによる係合や磁石による係合等とすることができる。さらにまた、連結玩具本体５１は、分割部５６，５７を設けず一体的に形成することもできる。また、スライド係合される分割部５６，５７に換えて、ヒンジ機構を設けて折り畳み式とすることもできる。
【００６９】
また、連結玩具本体５１は、長尺状に形成したが、その他の形態、例えばフレーム枠により一端側係止部５２ｃや他端側係止部５４ｃを支持するように形成することもできる。しかしながら、長尺状に形成し、少なくとも連結玩具本体５１に上面を設けることで、前述の通りビーズ挿通紐２２が必要以上に落ち込むことがないので、係合紐２３による編込み係合がし易くなり、また、留め具４０の取り付けも容易にすることができる。さらに、連結玩具本体５１は、上面視円形状や異形状とすることもできる。しかしながら、分割構造や製造のし易さを考慮すると、本実施形態のように長尺状（換言すれば棒状）に形成するのが好適である。
【００７０】
また、連結玩具本体５１は、第１本体部５２，第２本体部５３，第３本体部５４の３分割により形成したが、これに限られず、例えば２分割や４分割以上とすることもできる。または、連結玩具本体５１にヒンジ部を設けて、使用時には連結玩具本体５１を伸ばし、収納時には折り畳んで収納するよう構成することもできる。
【００７１】
また、本願発明に係るビーズ連結方法は、必ずしもビーズ連結玩具５０を用いずとも簡単にビーズ装飾玩具を作成することができる方法である。しかしながら、ビーズ連結玩具５０を用いることによって、子供でも本願発明に係るビーズ連結方法を適度な難易度で楽しみながらビーズ装飾玩具を作成して遊ぶことができる。
【符号の説明】
【００７２】
１０      ブレスレット                    ２０      組紐体
２１      ベース紐                        ２２      ビーズ挿通紐
２３      係合紐                          ２４      組紐係止部
２５      環状部                          ３０      ビーズ
３１      ビーズ                          ３２      ビーズ
３３      ビーズ                          ４０      留め具
４１      カバー部材                      ４１ａ    留め具係止部
４１ａ１  係止孔部                        ４１ｂ    幅広凸部
４１ｂ１  押さえピン                      ４１ｃ    幅広凸部
４１ｄ    補強リブ                        ４２      留め具本体
４２ａ    係止突起                        ４３      柱状突起
４４      大溝                            ４４ａ    ピン
４４ｂ    幅広凹部                        ４５      小溝
４５ａ    幅広凹部                        ４６      装飾部材
４６ａ    孔部
５０      ビーズ連結玩具                  ５１      連結玩具本体
５２      第１本体部                      ５２ａ    Ｔ溝部
５２ａ１  規制壁                          ５２ｃ    一端側係止部
５２ｃ１  垂直部                          ５２ｃ２  水平部
５２ｄ    上面                            ５３      第２本体部
５３ａ    Ｔ溝部                          ５３ａ１  規制壁
５３ｂ    スライド係合突起                ５３ｄ    上面
５４      第３本体部                      ５４ａ    スライド係合突起
５４ｃ    他端側係止部                    ５４ｃ１  ベース紐用縦溝
５４ｃ２  ビーズ挿通紐用縦溝              ５４ｄ    上面
５４ｅ    他端部上面                      ５４ｆ    当接突起部
５４ｇ    留め具用孔部                    ５５      ねじ
５６      分割部                          ５７      分割部
６０      編み棒
１５４    第３本体部本体                  １５４ｄ  突起部
１５４ｈ  他端部                          １５４ｋ  上ボス支持孔
１５４ｍ  上壁板                          １５５    固定プレート
１５５ａ  孔部                            １５５ｂ  下ボス支持孔
１５５ｃ  下壁板                          １５６    可動仕切り壁
１５６ａ  基部                            １５６ｂ  ボス
１５６ｃ  可動壁板                        １５６ｄ  突起部
【図１】
2016116748.tif 000003
【図２】
2016116748.tif 000004
【図３】
2016116748.tif 000005
【図４】
2016116748.tif 000006
【図５】
2016116748.tif 000007
【図６】
2016116748.tif 000008
【図７】
2016116748.tif 000009
【図８】
2016116748.tif 000010
【図９】
2016116748.tif 000011
【図１０】
2016116748.tif 000012
【図１１】
2016116748.tif 000013
【図１２】
2016116748.tif 000014